(57)【特許請求の範囲】
【請求項１】
空中線を介して入力される複数のビデオ映像信号と、ケーブルを介して入力されるＲＧＢ映像信号およびＲＧＢ同期信号とを入力し、単一の表示画面に複数の映像を同時に表示する表示制御装置において、
前記複数のビデオ映像信号に基づいて複数のビデオ映像を前記表示画面に同時に表示する場合には、複数のビデオ映像の同期信号の中から最も安定している同期信号を選択し、同期信号が選択されなかったビデオ映像信号をいったんメモリに記憶するとともに、選択した同期信号に同期して前記メモリからビデオ映像信号を読み出し、選択した同期信号に同期して複数のビデオ映像を同時に表示することを特徴とする表示制御装置。
【請求項２】
請求項１に記載の表示制御装置において、
ＰＬＬ（Phase-Locked Loop）回路または水晶発振器を用いてビデオ映像信号から同期信号を分離することを特徴とする表示制御装置。
【請求項３】
請求項１または２に記載の表示制御装置において、
ビデオ映像信号に対してＡＧＣ（Automatic Gain Control）を行なうＡＧＣ回路の出力電圧信号に基づいて同期信号を選択することを特徴とする表示制御装置。
【発明の詳細な説明】
【０００１】
【発明の属する技術分野】
本発明は、複数の映像を１画面に同時に表示する表示制御装置に関する。
【０００２】
【従来の技術】
複数の映像を１画面に同時に表示する表示制御装置が知られている。
図３は、ＶＩＤＥＯ１，ＶＩＤＥＯ２の複合映像信号の入力端子を備えた従来の表示制御装置を示す。従来の装置では、複数の複合映像信号から無差別にいずれかを選び、選択した映像信号の同期信号により他の映像信号に同期をかけて１画面に複数の映像を同時に表示している。例えば図３に示す例では、ＶＩＤＥＯ２端子から入力した複合映像信号をいったんメモリ１に記憶し、ＶＩＤＥＯ１端子の複合映像信号から同期分離回路２により同期信号を分離し、メモリコントローラ３によりＶＩＤＥＯ１端子の同期信号に同期してメモリ１から映像信号を読み出す。そして、ＶＩＤＥＯ１端子の同期信号に同期して、表示装置４の表示画面にＶＩＤＥＯ１端子の映像とメモリ１から読み出したＶＩＤＥＯ２端子の映像とを同時に表示している。
【０００３】
【発明が解決しようとする課題】
しかしながら、従来の表示制御装置では、選択された同期信号が弱電界に入って乱れたり、チャンネル切り換えにより無信号状態になった時に、他の映像信号の同期信号が安定状態にあるにもかかわらず同期が乱れるという問題がある。
【０００４】
特に、表示装置を車両に搭載してＦＭ多重放送によるＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）の道路交通情報と、ナビゲーション装置からの道路地図映像とを１画面に同時に表示する場合には、ＦＭ多重放送の映像信号の同期を選択してナビゲーション装置の映像を表示すると、ＦＭ多重放送電波が乱れるとナビゲーション装置の道路地図映像も乱れ、経路誘導画面が見ずらくなってしまう。
また、停車中にテレビジョン（以下、テレビと呼ぶ）放送とナビゲーション装置の映像とを１画面に同時に表示する場合にも、テレビ放送の同期を選択してナビゲーション装置の映像を表示すると同様な問題が発生する。
【０００５】
本発明の目的は、安定した同期信号を用いて複数の映像を１画面に同時に表示する表示制御装置を提供することにある。
【０００６】
【課題を解決するための手段】
（１）  請求項１の発明は、空中線を介して入力される複数のビデオ映像信号と、ケーブルを介して入力されるＲＧＢ映像信号およびＲＧＢ同期信号とを入力し、単一の表示画面に複数の映像を同時に表示する表示制御装置に適用され、複数のビデオ映像信号に基づいて複数のビデオ映像を表示画面に同時に表示する場合には、複数のビデオ映像の同期信号の中から最も安定している同期信号を選択し、同期信号が選択されなかったビデオ映像信号をいったんメモリに記憶するとともに、選択した同期信号に同期してメモリからビデオ映像信号を読み出し、選択した同期信号に同期して複数のビデオ映像を同時に表示する。
（２）  請求項２の表示制御装置は、ＰＬＬ回路または水晶発振器を用いてビデオ映像信号から同期信号を分離する。
（３）  請求項３の表示制御装置は、ビデオ映像信号に対してＡＧＣを行なうＡＧＣ回路の出力電圧信号に基づいて同期信号を選択する。
【０００７】
【発明の実施の形態】
ＲＧＢ端子およびＲＧＢ  ＳＹＮＣ（以下、ＲＧＢ同期信号と呼ぶ）端子から入力したＲＧＢ映像と、ＶＩＤＥＯ端子から入力したビデオ映像とを１画面に同時に表示する場合には、ＲＧＢ同期信号を選択してビデオ映像に同期をかける。図１に示すように、ＶＩＤＥＯ端子から入力した複合映像信号をいったんメモリ１１に記憶するとともに、メモリコントローラ１２によりＲＧＢ同期信号に同期してメモリ１１から読み出す。このＶＩＤＥＯ端子から入力される複合映像信号には、テレビ放送やＦＭ多重放送の映像信号が含まれる。次に、ＲＧＢ同期信号にしたがって表示装置１３の表示画面を走査し、ＲＧＢ端子から入力したＲＧＢ映像とメモリ１１から読み出したビデオ映像とを表示装置１３の表示画面に同時に表示する。なお、表示装置１３には液晶表示器やＣＲＴを用いることができる。
【０００８】
通常、ＲＧＢ映像信号およびＲＧＢ同期信号は外部装置からケーブルを介して入力されるので、空中線を介して入力されるビデオ映像の同期信号に比べて安定しており、安定なＲＧＢ同期信号に同期してＲＧＢ映像とビデオ映像とを表示することによって、弱電界に入ってビデオ信号が乱れても同期の乱れのない安定な映像を表示することができる。
特に、実施形態の表示制御装置を車載表示装置に応用し、ナビゲーション装置の道路地図映像と、ＦＭ多重放送やテレビ放送などの映像とを１画面に同時に表示する場合には、車載ナビゲーション装置からケーブルを介してＲＧＢ  ＳＹＮＣ端子に入力されるＲＧＢ同期信号が、空中線を介して入力されるＦＭ多重放送やテレビ放送の同期信号に比べて安定しており、ＲＧＢ同期信号を用いてＦＭ多重放送やテレビ放送の映像に同期をかけることにより、電波伝播の影響による同期乱れのない安定な映像を表示することができる。
【０００９】
次に、図２に示すように、ＶＩＤＥＯ１端子から入力したビデオ映像とＶＩＤＥＯ２端子から入力したビデオ映像とを１画面に同時に表示する場合には、同期信号が安定している複合映像信号を選択し、その同期信号で他方のビデオ映像に同期をかける。ここで、ビデオ映像には、空中線を介して受信したテレビ放送やＭＦ多重放送の複合映像信号や、ビデオテープレコーダから入力した複合映像信号が含まれる。
ビデオ信号は入力系統ごとにＡＧＣ回路（不図示）を介して入力される。ＡＧＣ回路は、入力した複合映像信号レベルに比例したＡＧＣ電圧信号を出力し、映像増幅回路や音声増幅回路の増幅ゲインを調節して出力信号レベルを一定に保ち、コントラストや音声の変動を防止する。入力信号レベルが低い時はＡＧＣ電圧が低くなり、逆に入力信号レベルが高い時はＡＧＣ電圧が高くなる。したがって、ＡＧＣ電圧信号が安定なビデオ信号はそのレベルが安定しており、ビデオ信号に含まれる同期信号も安定していると見なせる。
【００１０】
ＶＩＤＥＯ１入力とＶＩＤＥＯ２入力のＡＧＣ電圧信号はともにＡＧＣ判定回路２１に入力し、ＡＧＣ判定回路２１によりＡＧＣ電圧信号が安定している方を選択して選択情報を選択回路２２へ出力する。選択回路２２は、ＶＩＤＥＯ１入力とＶＩＤＥＯ２入力の内の選択された入力をＳＥＬＥＣＴ１ラインへ出力し、選択されなかった入力をＳＥＬＥＣＴ２ラインへ出力する。ＳＥＬＥＣＴ１ラインには同期分離回路２３が接続されており、同期分離回路２３はＰＬＬ回路または水晶発振器を用いて選択された複合映像信号から安定な同期信号を分離、生成する。一方、ＳＥＬＥＣＴ２ラインにはメモリ２４が接続されており、非選択側の複合映像信号をいったんメモリ２４に記憶するとともに、メモリコントローラ２５により選択映像信号の同期信号に同期してメモリ２４から読み出す。そして、選択映像信号の同期信号にしたがって表示装置２６の表示画面を走査し、選択映像信号の映像とメモリ２４から読み出した非選択映像信号の映像とを表示装置２６の表示画面に同時に表示する。
【００１１】
このように、複数の映像を１画面に同時に表示する場合には、最も安定している同期信号により複数の映像信号に同期をかけて表示するようにしたので、常に同期の安定した映像を表示することができる。
【００１２】
【発明の効果】
（１）  請求項１の発明によれば、空中戦を解して入力される複数のビデオ映像を表示画面に同時に表示する場合には、複数のビデオ映像の同期信号の中から最も安定している同期信号を選択し、同期信号が選択されなかったビデオ映像信号をいったんメモリに記憶するとともに、選択した同期信号に同期してメモリからビデオ映像信号を読み出し、選択した同期信号に同期して複数のビデオ映像を同時に表示するようにしたので、ビデオ映像信号のいずれかが電波伝播により乱れても表示画面の映像が乱れず、同期の安定した映像を表示することができる。
（２）  請求項２の発明によれば、ＰＬＬ回路または水晶発振器を用いてビデオ映像信号から同期信号を分離するようにしたので、安定な同期信号を得ることができる。
（３）  請求項３の発明によれば、ビデオ映像信号に対してＡＧＣを行なうＡＧＣ回路の出力電圧信号に基づいて同期信号を選択するようにしたので、安定な同期信号を正確に選択することができる。
【図面の簡単な説明】
【図１】ＲＧＢ映像とビデオ映像とを１画面に同時に表示する場合の一実施形態の表示制御方法を示す図である。
【図２】２つのビデオ映像を１画面に同時に表示する場合の一実施形態の表示制御方法を示す図である。
【図３】従来の表示制御装置による表示制御方法を示す図である。
【符号の説明】
１１  メモリ
１２  メモリコントローラ
１３  表示装置
２１  ＡＧＣ判定回路
２２  選択回路
２３  同期分離回路
２４  メモリ
２５  メモリコントローラ
２６  表示装置
【図１】
0003623322.tif 000002
【図２】
0003623322.tif 000003
【図３】
0003623322.tif 000004